(57)【要約】      （修正有）【課題】構造が簡単で、素早く開閉できる真空包装袋を提供する。【解決手段】真空包装袋は、袋本体３と、可動シールと、本体に設置される真空引きバルブ４とから構成される。袋本体３には、少なくとも一枚の前片１と、一枚の後片２とからなり、前片と後片との接合部の上部に接合されていない入り口６が設けられている。入り口６と接合するカバー５は、接合縁と少なくとも一つの移動縁５１を含む。カバーの接合縁５２は、それぞれ入り口の前片と後片の縁と繋がる。移動縁は、入り口の前片上部縁と包装袋の入り口となり、袋本体の可塑性入り口となる。【選択図】図１
0003177982.tif 000002
【実用新案登録請求の範囲】
【請求項１】
袋本体と、可塑性入り口と、袋本体に取り付けられた真空引きバルブとを含み、
前記袋本体は、少なくとも一枚の前片（１）と、一枚の後片（２）とから構成され、
前記前片（１）と、後片（２）の接合部の上部には、まだ接合されていない入り口（８）が残され、
この入り口（８）と接合するカバー（５）は、接合縁と少なくとも一つの移動縁を含み、
前記カバー（５）の接合縁は、それぞれ前記入り口（８）の前片（１）と、一枚の後片（２）の接続縁と接合し、
前記移動縁は、入り口（８）の前片（１）の上部縁と、包装袋の入り口となり、袋本体の可塑性入り口となることを特徴とする真空包装袋。
【請求項２】
請求項１記載の真空包装袋において、
可塑性入り口が包装袋入り口に設置されるボタン装置（７） にあることを特徴とする真空包装袋。
【請求項３】
請求項１記載の真空包装袋において、
一枚の前片（１）と、一枚の後片（２）のうちの前片（１）の下部と後片（２）の下部の縁は、熱融合を経て前片（１）と後片（２）が袋本体（３）となり、袋本体（３）に一つの真空引きバルブ（４）が設けられており、
前記前片（１）上部と後片（２）上部の熱融合を経ていない部位は、入り口（８）となり、
前記入り口（８）と接合するカバー（５）は、接合縁（５２）と移動縁（５１）を
含み、カバー（５）の接合縁（５２）は、それぞれ前記入り口（８）の前片（１）と後片（２）の縁で熱融合され、
前記移動縁（51）は、入り口（８）の前片（１）上部の縁と包装袋の入り口（６）
となり、包装袋入り口（６）のボタン装置（７）に使われ、包装袋入り口（６）に設置されることを特徴とする真空包装袋。
【請求項４】
請求項１記載の真空包装袋において、
入り口（８）がＹ形であることを特徴とする真空包装袋。
【請求項５】
請求項２または３記載の真空包装袋において、
ボタン装置（７）は、カバー（５）に設置される溝（72）と、前片（１）の縁に設置される溝（72）に差し込められる持ち上げたライン（71）から構成され、
持ち上げたライン（71）を溝（72）に差し込めると、入り口（６）は封じられることを特徴とする真空包装袋。
【請求項６】
請求項５記載の真空包装袋において、
袋本体（３）が箱本体（９）に置かれることを特徴とする真空包装袋。
【請求項７】
請求項１記載の真空包装袋において、
前片（１）と、後片（２）の下部の間に接合片（10）が繋がることを特徴とする真空包装袋。
【請求項８】
請求項５記載の真空包装袋において、
真空包装袋の袋本体（３）は、ビニール製であることを特徴とする真空包装袋。
【考案の詳細な説明】
【技術分野】
【０００１】
本考案は、封じやすくて、操作が便利な真空包装袋に関する。
【背景技術】
【０００２】
日常生活では、真空袋は、衣類などの生活用品の保存のために使われる。その理由は、防湿・防虫ができ、保存空間を節約できるなど、人々の生活に対して、多大の便利な機能を与えることができるからである。
【０００３】
今までの真空袋は、普通、軟質の袋であり、その材質はたとえばＰＶＣ製薄膜或はナイロン複合膜などであり、この袋に封じ込め装置と、空気抽出ノズルとを加えたものである。
しかし、生活レベルが向上するにつれて、従来の真空包装袋では使用上に多大の不便がある。例えば、ふんわりとした物を入れる時に、従来の真空袋では、入れた物品の体積が大きいので膨張しやすく、これを封じるためには、必ずもう一人が袋本体をしっかりと握って入り口を合わせ、もう一人が入り口を閉じる必要があるので、作業がしずらいという不便である。
【０００４】
本考案は、上記欠点を有益に改善した。
【考案の概要】
【考案が解決しようとする課題】
【０００５】
本考案の目的は、従来技術の欠点を解消し、構造が簡単で、操作が便利で、しかも入り口を容易に封じられ、素早く作業ができる真空包装袋を提供することにある。
【課題を解決するための手段】
【０００６】
前記問題を解決するために、本考案は、下記の技術方案を採用する。
本考案は、袋本体と、可塑性入り口と、本体に設ける真空引きバルブとを含む。その特徴は、袋本体自身は、少なくとも一枚の前片と、一枚の後片とからなり、前片と後片の接合部の上部は未接合にしてあり、別の入り口がある。
上記入り口に接合するカバーは、繋ぎ縁と、少なくとも一つの移動縁とを含む。カバーの繋ぎ縁は、入り口を構成する前片及び後片の縁と繋ぎ、いわゆる移動縁は、前記如くの入り口を構成する前片の上部縁と真空包装袋の可塑性入り口を構成する。
【０００７】
本考案は、袋本体と、可塑性入り口と、本体につける真空引きバルブとを含む。その特徴は、袋本体自身は、少なくとも一枚の前片と、一枚の後片とからなって、前片と後片の接合部の上部は、未接合であり、入り口がある。
【０００８】
上記入り口と接合するカバーは、繋ぎ縁と、少なくとも一つの移動縁を含む。カバーの繋ぎ縁は、前記入り口を構成する前片及び後片の縁と繋ぎ、いわゆる可塑性入り口を構成する。真空包装袋の特徴は、本体の可塑性入り口に設けられるボタン装置を備えることにある。
【０００９】
本考案でいう真空包装袋は、前片下部と、後片下部の縁が熱融着されることにより袋本体を構成され、袋本体に真空引きバルブが取り付けられており、前片上部と後片上部の熱融着されていない部位は入り口になる。
【００１０】
真空包装袋の特徴は、入り口がＶ形をしていることである。また、可塑性入り口は、カバーにある溝及び前片の縁にある溝に差し込める持ち上げたラインで構成されて、持ち上げたラインを溝に差し込めると入り口は封じられて、可塑性入り口と持ち上げたラインは、位置が互換できることである。即ち、カバーに設置される持ち上げたライン、前片に設置される溝の移動縁の役割は前記状況と同じである。
【００１１】
本考案の真空袋の特徴は、袋本体は箱に置かれることである。
【００１２】
真空袋の特徴は、前片と後片の下部縁に接続片が繋がってあることにある。
【００１３】
真空袋の特徴は、袋本体の材質がビニールであることにある。
【００１４】
本考案は、従来技術と比べ、次の利点がある。
袋本体の上部にカバーが設けられるため、カバーと前片上部が入り口を構成し、入り口が本体の中部から離れたので、布団を袋に入れるとき、袋は、膨張し入り口が封じられないことにならず、このような構成により入り口が封じやすくて、力がかからなくなる。また、入り口も布団のサイズに応じて設置するのが可能となる。このような真空袋は、あるタイプの箱（例えば、不織布製品箱）などと組み合わせて使用するなら、箱には、真空袋の保護機能があるので、真空袋の使用寿命を延長できる。
【図面の簡単な説明】
【００１５】
【図１】図1は、本考案に係る真空包装袋の一つの実施例の立体図である。
【図２】図2は、本考案に係る真空包装袋の実施例の使用状態図である。
【図３】図3は、図1の本考案に係る真空包装袋の断面図である。
【図４】図4は、本考案に係る真空包装袋のもう一つの実施例の立体図である。
【図５】図5は、本考案に係る真空包装袋のもう一つの実施例の使用状態図である。
【図６】図6は、図4の本考案に係る真空包装袋の8-8断面図である。
【図７】図7は、本考案に係る真空包装袋の一つの実施例の分解図である。
【図８】図8は、本考案に係る真空包装袋のもう一つの実施例の分解図である。
【図９】図9は、本考案に係る真空包装袋と、箱とを組み合わせて使用する場合の使用状態図である。
【考案を実施するための形態】
【００１６】
以下、図面に基づいて本考案を説明する。
図1〜5に示すように、本考案の真空包装袋は、袋本体3と、可塑性入り口20と、袋本体に設けられている真空引きバルブ4とから構成されている。袋本体3は、一枚の前片1と、一枚の後片2とを含む。前片1の下部と、後片2の下部は、その縁が熱融合で封じられることによって、前片1と後片2が袋本体3を構成する。袋本体3には、真空引きバルブ4が設けてある。即ち、前片1の下部と、後片3の下部とが熱融合されて、前片1の下部片側と、後片2の下部の片側とが熱融合されて、これら前片1と後片2とで、袋本体3となるのである。このような袋本体3の底部は、尖っており、図1〜3の示すとおりである。普通の場合は、袋本体3は、ビニールで製作される。もちろん、前片1と後片2の下部の縁も必要な場合は、その他の接合片10と繋ぐことで、袋本体3の底部を平らにすることもできる。図4〜6の示すとおりである。
【００１７】
前片1の上部と、後片2の上部の熱融合されていない部位は、入り口8となる。この入り口8は、Ｖの形をしている。図1および図7の示す通りである。袋本体3の上部に入り口8と接合するカバー5が設けられており、このカバー5は、移動縁52と移動縁51を含む。カバー5の移動縁52は、それぞれ上記入り口8の前片1と後片2の縁の部位で、密閉接合できるように熱融合される。
【００１８】
カバー5の移動縁51と、入り口8の前片1の上部縁は、包装袋の入り口6となり、包装袋入り口6において、包装袋入り口6の開閉用のボタン装置7を設けてある。いわゆるボタン装置7は、カバー5に設置される溝72と、前片に設置される溝72に差し込められる持ち上げたライン71とからなる。持ち上げたライン71を溝72に差し込めると、入り口は封じられる。具体的にいえば、前記溝72は、カバー5の移動縁51に設けられており、持ち上げたライン71は、前片1の上部に設けられ、これらは図3と図6の示すとおりである。
【００１９】
図9に示すように、前記真空袋は、また硬質の箱9と組み合わせて使用できる。
【００２０】
袋本体3の入り口上部にカバー5が繋がってあるので、布団を袋に入れる時に、袋本体3は、膨張して入り口を封じられないことにならなく、入り口6は、封じやすくて、もっと省力で、便利である。また、袋の入り口６は、布団の大きさによって設置することができる。真空袋は、またあるタイプの箱9（例えば、不織布製品箱）などと組み合わせて利用するならば、箱には真空袋の保護機能があるので、真空袋の使用寿命を延長できる。
【００２１】
以上の実施例は、本実用的新型真空袋の使い方を理解せられるために例示したもので、当該新型真空袋の実用性に対する制限ではない。関係分野の技術者は、実用新案登録請求の範囲にて述べる技術方案のもとで、いろいろな変化を求めた真空袋を作ることができる。
例えば、本考案の袋本体は、また一枚の前片と、一枚の後片及び条状の側片から構成することもできれば、一枚の前片と、一枚の後片及び一つの条状の底片及び条状の側片から構成することもできる。
その他に、シームレスチューブの一端より封じることもできる。また、前記各片の縁の接合は、熱融合で接合せずに接着剤或いは物理方式で接合することもできる。
【図１】
0003177982.tif 000003
【図２】
0003177982.tif 000004
【図３】
0003177982.tif 000005
【図４】
0003177982.tif 000006
【図５】
0003177982.tif 000007
【図６】
0003177982.tif 000008
【図７】
0003177982.tif 000009
【図８】
0003177982.tif 000010
【図９】
0003177982.tif 000011